(57)【要約】【課題】設置スペースの小型化を図ること。【解決手段】実施形態に係る配線器具は、通信部と、リレー部と、制御部とを具備する。通信部は、外部装置と通信する。リレー部は、電力系統から複数の負荷へそれぞれ電力を供給する複数のリレーを有する。制御部は、外部装置から通信部を介して受信した操作信号に基づき、リレー部を制御する。【選択図】図１
2020054045.tif 000002
【特許請求の範囲】
【請求項１】
外部装置と通信する通信部と；
電力系統から複数の負荷へそれぞれ電力を供給する複数のリレーを有するリレー部と；
前記外部装置から前記通信部を介して受信した操作信号に基づき、前記リレー部を制御する制御部と；
を具備する配線器具。
【請求項２】
前記リレー部は、
単相３線式の前記電力系統に接続され、
前記制御部は、
前記リレー毎に前記負荷へ供給する電力を選択する
請求項１に記載の配線器具。
【請求項３】
前記制御部は、
有線接続された操作部から入力される操作信号に基づいて前記リレー部を制御する
請求項１または２に記載の配線器具。
【請求項４】
前記通信部は、
脱着可能に設けられる
請求項１、２または３に記載の配線器具。
【請求項５】
前記制御部は、
他の前記制御部と信号線で接続される
請求項４に記載の配線器具。
【発明の詳細な説明】
【技術分野】
【０００１】
本発明は、配線器具に関する。
【背景技術】
【０００２】
ＩｏＴ技術の普及に伴い外部装置との通信機能を備える配線器具が普及しつつある。この種の配線器具は、外部装置から受信した操作信号に基づき、接続された負荷へ電力の供給を行うことができる。
【先行技術文献】
【非特許文献】
【０００３】
【非特許文献１】パナソニック株式会社、「電設資材総合カタログ2016-2018」、2018年9月、p.113、「ＬＥＤお好み点灯スイッチ」
【発明の概要】
【発明が解決しようとする課題】
【０００４】
本発明が解決しようとする課題は、設置スペースの小型化を図ることができる配線器具を提供することである。
【課題を解決するための手段】
【０００５】
実施形態に係る配線器具は、通信部と、リレー部と、制御部とを具備する。前記通信部は、外部装置と通信する。前記リレー部は、電力系統から複数の負荷へそれぞれ電力を供給する複数のリレーを有する。前記制御部は、前記外部装置から前記通信部を介して受信した操作信号に基づき、前記リレー部を制御する。
【発明の効果】
【０００６】
本発明によれば、設置スペースの小型化を図ることができる。
【図面の簡単な説明】
【０００７】
【図１】図１は、実施形態に係る配線器具のブロック図である。
【図２】図２は、電源系統の具体例を示す図である。
【図３】図３は、電源系統の具体例を示す図である。
【発明を実施するための形態】
【０００８】
以下で説明する実施形態に係る配線器具１は、通信部１０と、リレー部４０と、制御部２０とを具備する。通信部１０は、外部装置と通信する。リレー部４０は、電力系統から複数の照明５０−１〜５０−３、コンセント５０−４（負荷の一例に対応）へそれぞれ電力を供給する複数のリレー４１−１〜４１−４を有する。制御部２０は、外部装置から通信部１０を介して受信した操作信号に基づき、リレー部４０を制御する。
【０００９】
また、以下で説明する実施形態に係る配線器具１において、リレー部４０は、単相３線式の電力系統に接続され、制御部２０は、リレー４１−１〜４１−４毎に照明５０−１〜５０−３、コンセント５０−４へ供給する電力を選択する。
【００１０】
また、以下で説明する実施形態に係る配線器具１において、制御部２０は、有線接続された操作部５から入力される操作信号に基づいてリレー部４０を制御する。
【００１１】
また、以下で説明する実施形態に係る配線器具１において、通信部１０は、脱着可能に設けられる。
【００１２】
また、以下で説明する実施形態に係る配線器具１において、制御部２０は、他の制御部２０−１と信号線Ｌｓで接続される。
【００１３】
以下、図面を参照して、実施形態に係る配線器具１について説明する。実施形態において同一の部位には同一の符号を付し、重複する説明は省略される。
【００１４】
（実施形態）
まず、図１を用いて実施形態に係る配線器具１の構成例について説明する。図１は、実施形態に係る配線器具１のブロック図である。なお、図１では、配線器具１に加え、操作部５や、照明５０−１〜５０−３およびコンセント５０−４を併せて示す。なお、照明５０−１〜５０−３およびコンセント５０−４は、負荷の一例である。このため、以下では、照明５０−１〜５０−３およびコンセント５０−４を単に負荷５０と記載する場合がある。なお、負荷５０は、照明５０−１〜５０−３およびコンセント５０−４に限定されるものではない。
【００１５】
図１に示す配線器具１は、例えば、通信機能を備え、ユーザ操作に応じて負荷５０のオン／オフを切り替えるリレーを備える器具である。ところで、従来、１つのリレーと、１つの通信部とを１つの筐体に収容した配線器具がある。かかる配線器具では、複数のリレーが必要となる場合、必要となるリレーの数だけ、通信部が増えることとなり、配線器具の設置スペースの増大を招く。
【００１６】
そこで、図１に示すように、実施形態に係る配線器具１は、１つの通信部１０に対して複数のリレー４１−１〜４１−４を設けることとした。すなわち、実施形態に係る配線器具１は、複数のリレー４１−１〜４１−４で１つの通信部１０を共有して使用することとした。これにより、実施形態に係る配線器具１では、設置スペースの小型化を図ることが可能である。
【００１７】
具体的には、図１に示すように、実施形態に係る配線器具１は、通信部１０と、制御部２０と、記憶部３０と、リレー部４０とを備える。通信部１０は、インターネットやＷｉＦｉ（登録商標）などの各種ネットワークと通信する通信モジュールである。
【００１８】
例えば、通信部１０は、配線器具１の事業者が提供するアプリケーションがインストールされた端末装置から各負荷５０のオン／オフを制御する操作信号を受信することができる。
【００１９】
制御部２０は、配線器具１全体を制御するコントローラである。制御部２０は、通信部１０が受信した操作信号や、操作部５から入力される操作信号に基づき、各負荷５０のオン／オフを制御することができる。
【００２０】
具体的には、制御部２０は、操作信号に基づき、個別または同時に複数のリレー４１−１〜４１−４を開閉させることで、各負荷５０のオン／オフを制御することが可能である。
【００２１】
すなわち、制御部２０は、各負荷５０をオンにする場合、負荷５０にそれぞれ接続されたリレー４１−１〜４１−４を導通状態となるように制御し、各負荷５０をオフにする場合、負荷５０にそれぞれ接続されたリレー４１−１〜４１−４を非導通状態となるように制御する。
【００２２】
このように、１つの制御部２０で、複数のリレー４１−１〜４１−４を制御することで、複数のリレー４１−１〜４１−４を同時に開閉制御することが可能となる。すなわち、各リレー４１−１〜４１−４の開閉制御を行う場合に、複数のリレー４１−１〜４１−４を同じタイミングで開閉制御することができる。
【００２３】
ここで、操作部５は、例えば、配線器具１に有線接続された壁掛けスイッチであり、ユーザは、操作することで各負荷５０のオン／オフを切り替えることができる。すなわち、ユーザは、端末装置などの外部装置および操作部５の双方で各負荷５０のオン／オフを切り替えることが可能である。
【００２４】
なお、操作部５は、小勢力回路によって６０Ｖ以下の電圧に変換された電力によって動作する。また、操作部５は、負荷５０の数、すなわち、リレー部４０が有するリレーの数に応じて設置される。
【００２５】
記憶部３０は、ＤＲＡＭ、ＳＲＡＭ、フラッシュメモリ等の記憶装置である。記憶部３０には、制御部２０を動作させるプログラム等が格納されている。また、記憶部３０には、各リレー４１−１〜４１−４の開閉状態に関する情報などが格納される。
【００２６】
リレー部４０は、それぞれ負荷５０へ電力を供給する複数のリレー４１−１〜４１−４を有する。各リレー４１−１〜４１−４は、それぞれ各種開閉器によって構成される。なお、図１に示す例では、リレー部４０が、４つのリレー４１−１〜４１−４を有する場合について示したが、リレーの数は２つ以上であれば、その数は問わない。なお、以下では、リレー４１−１〜４１−４を単にリレー４１と記載する場合がある。
【００２７】
各リレー４１は、それぞれ制御部２０による制御によって開閉が制御される。また、各リレー４１には、それぞれ単相３系式の電力系統が接続され、リレー４１毎に負荷５０へ供給する電圧を設定することが可能である。
【００２８】
図２は、電力系統の具体例を示す図である。図２に示すように、電力系統Ｌは、第１電圧線Ｌ１と、第２電圧線Ｌ２と、中性線Ｌｎとを有する。例えば、第１電圧線Ｌ１および第２電圧線Ｌ２は、それぞれ１００Ｖの交流電源に接続され、中性線Ｌｎは、アースに接続される。
【００２９】
例えば、図２に示すリレー４１−１のように、第１電圧線Ｌ１と、中性線Ｌｎとを繋ぐと、リレー４１−１を介して負荷５０には、１００Ｖの出力電圧が供給される。また、リレー４１−２のように、第１電圧線Ｌ１および第２電圧線Ｌ２を繋ぐと、リレー４１−２を介して負荷５０には、２００Ｖの出力電圧が供給されることとなる。
【００３０】
実施形態に係る配線器具１では、各リレー４１に接続される負荷５０にあわせて１００Ｖまたは２００Ｖの出力電圧を選択することが可能である。これにより、各リレー４１にそれぞれ異なる負荷５０が接続される場合であっても、負荷５０に対して適切な電力を供給することができる。
【００３１】
なお、各リレー４１の出力電圧の切り替えに際して、各リレー４１と、第１電圧線Ｌ１、第２電圧線Ｌ２および中性線Ｌｎとの接続を切り替えるリレー等の機械的手段を用いることにしてもよいし、あるいは、制御部２０が電子的に接続を切り替える半導体スイッチなどで構成することにしてもよい。
【００３２】
また、ここでは、電力系統Ｌが単相３形式である場合について説明したが、これに限定されるものではなく、単相２層式、三相３線式など負荷５０の仕様にあわせて適宜変更可能である。
【００３３】
ところで、配線器具１において、通信部１０は着脱可能に設けられる。この場合、通信部１０を取り外して用いる場合、他の配線器具１と通信部１０を共有して用いることができる。すなわち、複数の配線器具１を接続することで、リレー４１を増設することが可能である。
【００３４】
図３は、配線器具１の接続例を示す図である。図３に示すように、配線器具１をつなげる場合、１つの配線器具１に通信部１０を設け、他方の配線器具１−１の通信部１０を取り外して用いることができる。
【００３５】
この場合、配線器具１と、配線器具１−１とは、例えば、通信ケーブルである信号線Ｌｓを介して双方向に通信可能である。配線器具１の制御部２０は、通信部１０または操作部５を介して、取得した配線器具１−１宛ての操作信号を信号線Ｌｓを介して配線器具１−１へ通知することができる。
【００３６】
すなわち、各配線器具１、１−１は、ディジーチェーン方式で操作信号を伝達することが可能である。
【００３７】
具体的には、複数の配線器具１、１−１をつなげて用いる場合、各リレー部４０、４０−１が有するリレー４１をそれぞれにそれぞれ異なる識別子を設定し、操作信号に制御対象となるリレー４１の識別子を含めるようにすることで、配線器具１および配線器具１−１は、それぞれどの配線器具宛ての操作信号かを識別することができる。
【００３８】
このように、複数の配線器具１をつなげて用いることで、リレー４１を容易に増設することが可能となる。また、この際、複数の配線器具１で１つの通信部１０を共有することで、通信部１０を削減することできるので、導入コストを削減することが可能となる。
【００３９】
なお、ここでは、配線器具１と、配線器具１−１の２つの配線器具１をつなげて用いる場合について説明したが、つなぐ配線器具１の数は、３つ以上であってもよい。
【００４０】
上述したように、実施形態に係る配線器具１は、通信部１０と、リレー部４０と、制御部２０とを具備する。通信部１０は、外部装置と通信する。リレー部４０は、電力系統から複数の照明５０−１〜５０−３、コンセント５０−４（負荷の一例に対応）へそれぞれ電力を供給する複数のリレー４１−１〜４１−４を有する。制御部２０は、外部装置から通信部１０を介して受信した操作信号に基づき、リレー部４０を制御する。
【００４１】
したがって、実施形態に係る配線器具１によれば、通信部１０の数を少なくすることができるので、設置スペースの小型化を図ることができる。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１    配線器具
５    操作部
１０    通信部
２０    制御部
３０    記憶部
４０    リレー部
４１    リレー
５０    負荷
Ｌ    電力系統
【図１】
2020054045.tif 000003
【図２】
2020054045.tif 000004
【図３】
2020054045.tif 000005